(57)【特許請求の範囲】
【請求項１】
第１端子が配置された第１コネクタハウジングと、前記第１コネクタハウジングに固定され、コネクタ嵌合用ガイド部が設けられたフレーム部と、前記フレーム部に移動自在に支持されたレバーとを有する第１コネクタと、
第２端子が配置された第２コネクタハウジングを有し、前記第２コネクタハウジングが前記コネクタ嵌合用ガイド部にガイドされて前記第１コネクタに嵌合可能に設けられた第２コネクタとを備え、
前記レバーの嵌合開始操作位置から嵌合完了操作位置への操作によって前記第１コネクタと前記第２コネクタ間に嵌合力が作用され、前記第２コネクタが嵌合開始位置から嵌合完了位置に移動され、前記第１コネクタと前記第２コネクタ間が嵌合された状態で前記フレーム部を取付部材の取付孔に挿入して取り付けられるコネクタ装置であって、
前記第１コネクタの前記フレーム部の外周面より突出しない非突出位置に位置し、押圧力によって前記フレーム部の外周面より突出する突出位置に変移する半嵌合検知部と、
前記第２コネクタに設けられ、嵌合完了位置より手前の嵌合途中位置では、前記半嵌合検知部を押圧して突出位置に変移させ、嵌合完了位置では前記半嵌合検知部への押圧を解除して前記半嵌合検知部を非突出位置とする半嵌合用操作部と、
前記第１コネクタに設けられ、嵌合開始操作位置に位置する前記レバーの移動を阻止するレバー仮係止位置に位置し、押圧力によって前記レバーの移動を許容するレバー仮係止解除位置に変移するレバー仮係止部と、
前記第２コネクタに設けられ、嵌合開始位置にセットされた状態では、前記レバー仮係止部を押圧してレバー仮係止解除位置に変移させるレバー仮係止解除部とを備え、
前記半嵌合検知部は、前記レバー仮係止部に付設されて追従して変移し、前記レバー仮係止部のレバー仮係止位置では非突出位置に位置し、前記レバー仮係止部のレバー仮係止解除位置では突出位置に位置し、
前記半嵌合用操作部と前記レバー仮係止解除部は、同一の押圧部が兼用することを特徴とするコネクタ装置。
【請求項２】
請求項１記載のコネクタ装置であって、
前記レバーは、嵌合開始操作位置では、前記フレーム部と共にコネクタ嵌合用間口を構成することを特徴とするコネクタ装置。
【発明の詳細な説明】
【技術分野】
【０００１】
本発明は、レバーの操作によって、双方のコネクタ間に作用する嵌合力よりも小さい力で嵌合できるコネクタ装置に関する。
【背景技術】
【０００２】
この種の従来のコネクタ装置として、図１２〜図１４に示すものが提案されている（特許文献１参照）。
【０００３】
このコネクタ装置１００は、第１コネクタ１０１と第２コネクタ１２０とから構成されている。第１コネクタ１０１は、図１２（ａ）に詳しく示すように、第１コネクタハウジング（図示せず）と、この第１コネクタハウジング（図示せず）に固定され、コネクタ嵌合室１０３ａを内部に有するフレーム部１０３と、このフレーム部１０３に回転自在に支持されたレバー１１０とを有する。
【０００４】
第１コネクタハウジング１０２には多数の端子（図示せず）が配置されている。フレーム部１０３には、一対のピン逃げ孔１０４が設けられている。フレーム部１０３の後端には、係止用フランジ部１０５が突設されている。フレーム部１０３には、外周面に突出するパネル係止部１０６が設けられている。パネル係止部１０６は、外側からの押圧力を受けると、外周面より突出しない位置まで弾性変形できるようになっている。
【０００５】
レバー１１０は、回転支持部１１１を支点として、嵌合開始操作位置（図１３の位置）と嵌合完了操作位置（図１４の位置）の間で回転する。レバー１１０には、一対のカム溝１１２が設けられている。一対のカム溝１１２は、レバー１１０の嵌合開始操作位置では一対のピン逃げ孔１０４と同じ位置で開口する。
【０００６】
第２コネクタ１２０は、図１２（ｂ）に詳しく示すように、第２コネクタハウジング１２１を有する。この第２コネクタハウジング１２１には、多数の端子（図示せず）が配置されている。第２コネクタハウジング１２１には、一対のカムピン１２２が突設されている。
【０００７】
上記構成において、図１３に示すように、レバー１１０を嵌合開始操作位置とし、第２コネクタ１２０を第１コネクタ１０１のコネクタ嵌合室１０３ａに挿入する。すると、レバー１１０のカム溝１１２の入口部までカムピン１２２が挿入される。これにより、第２コネクタ１２０が嵌合開始位置にセットされる。
【０００８】
次に、レバー１１０を嵌合開始操作位置から嵌合完了位置側に回転する。すると、カムピン１２２がカム溝１１２内を移動し、第２コネクタ１２０と第１コネクタ１０１間に嵌合力が作用して第２コネクタ１２０が第１コネクタ１０１のコネクタ嵌合室１０３ａに徐々に引き込まれる。
【０００９】
図１４に示すように、レバー１１０を嵌合完了操作位置まで回転すると、第２コネクタ１２０が嵌合完了位置まで引き込まれ、完全嵌合状態となる。対応する端子（図示せず）同士は、嵌合完了位置では適正な接触状態となる。
【００１０】
次に、このような第１コネクタ１０１と第２コネクタ１２０を嵌合したコネクタ装置１００を、そのフレーム部１０３側より取付パネル１３０の取付孔１３１に挿入する。すると、パネル係止部１０６が取付孔１３１の周縁に突き当たり、この状態より更に挿入力を加えると、パネル係止部１０６が内側に弾性変形してフレーム部１０３の挿入が許容される。パネル係止部１０６が取付孔１３１を完全に抜けると、パネル係止部１０６が弾性復帰変形すると共に係止用フランジ部１０５が取付パネル１３０に突き当たる。パネル係止部１０６と係止用フランジ部１０５で取付パネル１３０を挟み込み、これでコネクタ装置１００が取付パネル１３０に取り付けられる。
【００１１】
この従来例では、第１コネクタ１０１と第２コネクタ１２０間を予め嵌合させ、嵌合状態のコネクタ装置１００を取付パネル１３０の取付孔１３１に挿入することによって取り付けできる。従って、取付パネル１３０に取り付けた第１コネクタ１０１に対して第２コネクタ１２０をセットしたり、レバー１１０を操作したりする取付スペースを確保する必要がなく、このような取付スペースを確保できない場合にも取り付けできる。
【先行技術文献】
【特許文献】
【００１２】
【特許文献１】特開２００２−３５９０２９号公報
【発明の概要】
【発明が解決しようとする課題】
【００１３】
しかしながら、前記従来のコネクタ装置１００では、第１コネクタ１０１と第２コネクタ１２０間が半嵌合状態でも取付パネル１３０に取り付けできる。取付パネル１３０に半嵌合状態で取り付けされると、導通不良の原因となる。導通不良の場合には、コネクタ装置１００を取付パネル１３０より一旦取り外し、半嵌合状態を直して再度取り付ける必要があり、面倒である。そのため、第１コネクタ１０１と第２コネクタ１２０間が半嵌合状態の場合には、コネクタ装置１００を取付パネル１３０に取り付ける前に検知できることが要望される。
【００１４】
そこで、本発明は、前記した課題を解決すべくなされたものであり、コネクタ間が半嵌合状態であることを検知できるコネクタ装置を提供することを目的とする。
【課題を解決するための手段】
【００１５】
本発明は、第１端子が配置された第１コネクタハウジングと、前記第１コネクタハウジングに固定され、コネクタ嵌合用ガイド部が設けられたフレーム部と、前記フレーム部に移動自在に支持されたレバーとを有する第１コネクタと、第２端子が配置された第２コネクタハウジングを有し、前記第２コネクタハウジングが前記コネクタ嵌合用ガイド部にガイドされて前記第１コネクタに嵌合可能に設けられた第２コネクタとを備え、前記レバーの嵌合開始操作位置から嵌合完了操作位置への操作によって前記第１コネクタと前記第２コネクタ間に嵌合力が作用され、前記第２コネクタが嵌合開始位置から嵌合完了位置に移動され、前記第１コネクタと前記第２コネクタ間が嵌合された状態で前記フレーム部を取付部材の取付孔に挿入して取り付けられるコネクタ装置であって、前記第１コネクタの前記フレーム部の外周面より突出しない非突出位置に位置し、押圧力によって前記フレーム部の外周面より突出する突出位置に変移する半嵌合検知部と、前記第２コネクタに設けられ、嵌合完了位置より手前の嵌合途中位置では、前記半嵌合検知部を押圧して突出位置に変移させ、嵌合完了位置では前記半嵌合検知部への押圧を解除して前記半嵌合検知部を非突出位置とする半嵌合用操作部と、前記第１コネクタに設けられ、嵌合開始操作位置に位置する前記レバーの移動を阻止するレバー仮係止位置に位置し、押圧力によって前記レバーの移動を許容するレバー仮係止解除位置に変移するレバー仮係止部と、前記第２コネクタに設けられ、嵌合開始位置にセットされた状態では、前記レバー仮係止部を押圧してレバー仮係止解除位置に変移させるレバー仮係止解除部とを備え、前記半嵌合検知部は、前記レバー仮係止部に付設されて追従して変移し、前記レバー仮係止部のレバー仮係止位置では非突出位置に位置し、前記レバー仮係止部のレバー仮係止解除位置では突出位置に位置し、前記半嵌合用操作部と前記レバー仮係止解除部は、同一の押圧部が兼用することを特徴とする。
【００１７】
前記レバーは、嵌合開始操作位置では、前記フレーム部と共にコネクタ嵌合用間口を構成することが好ましい。
【発明の効果】
【００１８】
本発明によれば、第１コネクタと第２コネクタ間が半嵌合状態の場合には、半嵌合検知部がフレーム部の外周面より突出するため、取付部材の取付孔にフレーム部を挿入する際に半嵌合検知部と取付部材が干渉してコネクタ装置を取付部材に取り付けできない。これにより、コネクタ間が半嵌合状態であることを検知できる。
【図面の簡単な説明】
【００１９】
【図１】本発明の一実施形態を示し、コネクタ装置の分解斜視図である。
【図２】本発明の一実施形態を示し、第１コネクタと第２コネクタの嵌合前の斜視図である。
【図３】本発明の一実施形態を示し、第１コネクタと第２コネクタの嵌合作業の一過程を示す側面図である。
【図４】本発明の一実施形態を示し、図３のＡ−Ａ線断面図である。
【図５】本発明の一実施形態を示し、第１コネクタと第２コネクタの嵌合作業の一過程を示す側面図である。
【図６】本発明の一実施形態を示し、図５のＢ−Ｂ線断面図である。
【図７】本発明の一実施形態を示し、第１コネクタと第２コネクタの嵌合作業の一過程を示す側面図である。
【図８】本発明の一実施形態を示し、図７のＣ−Ｃ線断面図である。
【図９】本発明の一実施形態を示し、第１コネクタと第２コネクタの嵌合作業の一過程を示す側面図である。
【図１０】本発明の一実施形態を示し、図９のＤ−Ｄ線断面図である。
【図１１】本発明の一実施形態を示し、（ａ）は半嵌合状態のコネクタ装置を車体パネルの取付孔に挿入した状態を示す断面図、（ｂ）は適正な嵌合状態のコネクタ装置を車体パネルの取付孔に挿入した状態を示す断面図である。
【図１２】従来例を示し、（ａ）は第１コネクタの斜視図、（ｂ）は第２コネクタの側面図である。
【図１３】従来例を示し、第１コネクタと第２コネクタが嵌合開始位置にセットされた状態を示す側面図である。
【図１４】従来例を示し、第１コネクタと第２コネクタ間が嵌合された状態を示す側面図である。
【発明を実施するための形態】
【００２０】
以下、本発明の一実施形態を図面に基づいて説明する。
【００２１】
図１及び図２に示すように、コネクタ装置１は、第１コネクタである雌コネクタ２と第２コネクタである雄コネクタ３０とから構成されている。
【００２２】
雌コネクタ２は、第１コネクタハウジングである雌コネクタハウジング３と、この雌コネクタハウジング３に固定されたフレーム部１０と、このフレーム部１０に回転自在に支持されたレバー２０とを有する。
【００２３】
雌コネクタハウジング３には、多数の雄端子（図示せず）が整列された状態で配置されている。各雄端子には、各電線（図示せず）の端部に接続されている。
【００２４】
フレーム部１０の内周側には、コネクタ嵌合用ガイド部である一対のガイドレール部１１が設けられている。各ガイドレール部１１は、雄コネクタ３０の嵌合方向に沿って配置されている。フレーム部１０の内周側には、一対のレバー仮係止部１２が設けられている。各レバー仮係止部１２は、アーム状であり、撓み変形可能に設けられている。各レバー仮係止部１２は、嵌合開始操作位置に位置するレバー２０の移動を阻止するレバー仮係止位置（図８の仮想線位置）に位置し、押圧力によってレバー２０の移動を許容するレバー仮係止解除位置（図８の実線位置）に変移する。
【００２５】
半嵌合検知部１３は、各レバー仮係止部１２の先端側に付設されている。一対の半嵌合検知部１３は、フレーム部１０の突出用孔１４に臨む位置に配置されている。一対の半嵌合検知部１３は、レバー仮係止部１２に追従して変移する。つまり、半嵌合検知部１３は、レバー仮係止部１２のレバー仮係止位置では、フレーム部１０の外周面より突出しない非突出位置（図８の仮想線位置）に位置し、レバー仮係止部１２のレバー仮係止解除位置では、フレーム部１０の外周面より突出する突出位置（図８の実線位置）に変移する。
【００２６】
フレーム部１０の後端には、係止用フランジ部１５が全周に亘って設けられている。フレーム部１０には、外周面に突出するパネル係止部１６が設けられている。パネル係止部１６は、外側からの押圧力を受けると、外周面より突出しない位置まで弾性変形できるようになっている。
【００２７】
レバー２０は、回転支持部１９を支点として、嵌合開始操作位置（図５の位置）と嵌合完了操作位置（図９の位置）の間で回転する。回転支持部１９を中心としてレバー２０の操作側とは反対側には、レバー仮ロック部２２が設けられている。レバー仮ロック部２２は、レバー仮係止部１２の仮係止位置では係止されてレバー２０の回転が阻止される。レバー仮ロック部２２は、レバー仮係止部１２の仮係止解除位置では係止されず、レバー２０の回転が許容される。レバー２０は、嵌合開始操作位置では、フレーム部１０と一体となってコネクタ嵌合用間口Ｍを構成する。レバー２０の内面側には、一対のカム溝２１が設けられている。各カム溝２１は、テーパ状の入口溝部２１ａと、この入口溝部２１ａに連通し、回転支持部１９の中心からの距離が徐々に変化する曲線溝部２１ｂとを有する。入口溝部２１ａは、レバー２０の嵌合開始操作位置では、コネクタ嵌合用間口Ｍに開口する。
【００２８】
雄コネクタ３０は、第２コネクタハウジングである雄コネクタハウジング３１を有する。この雄コネクタハウジング３１には、多数の雌端子（図示せず）が配置されている。各雌端子には、各電線（図示せず）の端部に接続されている。雄コネクタハウジング３１の外側面には、一対のガイド溝３２が設けられている。ガイド溝３２は、雄コネクタ３０の嵌合方向に沿って配置されている。雄コネクタハウジング３１の外側面には、一対のカムピン３３が突設されている。
【００２９】
雄コネクタ３０の外側面には、レバー仮係止解除部と半嵌合用操作部の双方として機能する一対の押圧部３４が設けられている。一対の押圧部３４は、嵌合開始位置にセットされる移動過程でレバー仮係止部１２を徐々に押圧し、嵌合開始位置の位置ではレバー仮係止解除位置に変移させる。又、一対の押圧部３４は、嵌合開始位置から嵌合完了位置より手前の位置、つまり、嵌合途中位置では、半嵌合検知部１３を押圧して突出位置に変移させ、嵌合完了位置では半嵌合検知部１３への押圧を解除して半嵌合検知部１３を非突出位置とする。
【００３０】
次に、雌コネクタ２と雄コネクタ３０の嵌合作業を説明する。図３及び図４に示すように、雄コネクタ３０は、レバー２０が嵌合開始操作位置にセットされる。レバー２０は、レバー仮係止部１２がレバー仮係止位置に位置し、これにより嵌合開始操作位置に仮係止される。
【００３１】
レバー２０とフレーム部１０によってコネクタ嵌合間口Ｍが構成された雌コネクタ２に対し、そのコネクタ嵌合間口Ｍより雄コネクタ３０を挿入する。すると、雄コネクタ３０の一対のカムピン３３がレバー２０の各カム溝２１の入口溝部２１ａに挿入される。一対のカムピン３３をカム溝２１の側面に突き当たる位置まで挿入する。これで、雄コネクタ３０が嵌合開始位置にセットされる。この嵌合開始位置までの挿入過程では、図５及び図６に示すように、雄コネクタ３０の押圧部３４がレバー仮係止部１２に干渉し、レバー仮係止部１２が弾性変形によって徐々にレバー仮係止解除位置側に変移する。そして、嵌合開始位置では、レバー仮係止部１２がレバー仮係止解除位置に変移する。これにより、レバー２０の回転が可能となる。
【００３２】
次に、図７及び図８に示すように、嵌合開始操作位置のレバー２０を嵌合完了操作位置側に回転する。すると、カムピン３３がカム溝２１内を移動し、雄コネクタ３０と雌コネクタ２間に嵌合力が作用して雄コネクタ３０と雌コネクタ２間が徐々に嵌合される。この嵌合途中位置では、雄コネクタ３０の押圧部３４がレバー仮係止部１２を押圧し続ける。そのため、嵌合途中位置では、半嵌合検知部１３は突出状態に位置する。
【００３３】
レバー２０を嵌合完了操作位置まで回転すると、図９及び図１０に示すように、雄コネクタ３０と雌コネクタ２間が嵌合される。嵌合完了位置では、互いに対応する雌端子（図示せず）と雄端子（図示せず）間が適正な接触状態とされる。又、嵌合完了位置では、雄コネクタ３０の押圧部３４がレバー仮係止部１２を乗り越え、押圧を解除する。すると、レバー仮係止部１２は弾性復帰力によって非突出位置に戻る。半嵌合検知部１３は、嵌合完了位置では、非突出位置に位置する。
【００３４】
次に、雌コネクタ２と雄コネクタ３０間が嵌合したコネクタ装置１を、そのフレーム部１０及びレバー２０側より取付部材である取付パネル４０（図１、図１１に示す）の取付孔４１（図１、図１１に示す）に挿入する。
【００３５】
ここで、雌コネクタ２と雄コネクタ３０間が嵌合完了位置まで嵌合された場合、つまり、適正な嵌合状態である場合には、パネル係止部１６が取付孔４１の周縁に突き当たり、この状態より更に挿入力を加えると、パネル係止部１６が内側に弾性変形してフレーム部１０及びレバー２０の挿入が許容される。パネル係止部１６が取付孔４１を完全に抜けると、パネル係止部１６が弾性復帰変形すると共に係止用フランジ部１５が取付孔４１の周辺の取付パネル４０に突き当たる。パネル係止部１６と係止用フランジ部１５で取付パネル４０を挟み込み、これでコネクタ装置１が取付パネル４０に取り付けられる（図１１（ｂ）参照）。
【００３６】
雌コネクタ２と雄コネクタ３０間が嵌合完了位置まで嵌合されなかった場合、つまり、半嵌合状態である場合には、図１１（ａ）に示すように、フレーム部１０の外周面より半嵌合検知部１３が突出するため、半嵌合検知部１３と取付パネル４０が干渉してコネクタ装置１を取付パネル４０に取り付けできない。
【００３７】
以上説明したように、雌コネクタ２と雄コネクタ３０間が適正な嵌合状態では、半嵌合検知部１３が非突出位置に位置し、取付パネル４０の取付孔４１にフレーム部１０及びレバー２０を挿入する際に半嵌合検知部１３と取付パネル４０が干渉せずにコネクタ装置１を取付部材に取り付けできる。一方、雌コネクタ２と雄コネクタ３０間が半嵌合状態では、半嵌合検知部１３が突出位置に位置し、取付パネル４０の取付孔４１にフレーム部１０を挿入する際に半嵌合検知部１３と取付パネル４０が干渉してコネクタ装置１を取付部材に取り付けできない。これにより、コネクタ装置１の半嵌合を検知することができる。
【００３８】
このように、半嵌合状態ではコネクタ装置１を取付パネル４０に取り付けできないため、半嵌合状態のコネクタ装置１が取付パネル４０に取り付けされるような事態を未然に防止できる。又、半嵌合状態では、半嵌合検知部１３は、フレーム部１０の外周面より突出するため、作業者はこれに視認することによっても半嵌合を検知できる。つまり、取付パネル４０への取付作業前に半嵌合を検知できる。
【００３９】
半嵌合検知部１３は、レバー仮係止部１２に付設され、同一の押圧部３４が半嵌合用操作部とレバー仮係止解除部を兼用するよう構成されている。従って、レバー仮係止部１２とレバー仮係止解除部を既に備えたコネクタ装置にあっては、別部品を追加することなく既存部品の簡単な設計変更によって半嵌合を検知できるコネクタ装置１に変更できる。
【００４０】
レバー２０は、嵌合開始操作位置では、フレーム部１０と共にコネクタ嵌合用間口を構成する。従って、従来例にように、フレーム部１０の外側に更にレバー２０を配置するという二重構造にならないため、コネクタ嵌合用間口Ｍを有するコネクタ装置１にあって、その小型化を図ることができる。
【００４１】
この実施形態では、第１コネクタは雌コネクタ２にて構成され、第２コネクタは雄コネクタ３０にて形成されているが、この逆に、第１コネクタを雄コネクタ３０に、第２コネクタを雌コネクタ２に形成しても良い。つまり、雌コネクタ３０にフレーム部１０及びレバー２０が固定される。
【００４２】
この実施形態では、コネクタ嵌合用ガイド部は、ガイドレール部１１にて形成されているが、これに限定されるものでない。コネクタ嵌合用ガイド部は、雄コネクタ３０を雌コネクタ２に嵌合する過程で雄コネクタ３０をガイドできるものであれば良く、コネクタ嵌合室を有するものにあっては、コネクタ嵌合室の周壁がコネクタ嵌合用ガイド部である。
【符号の説明】
【００４３】
１  コネクタ装置
２  雌コネクタ（第１コネクタ）
３  雌コネクタハウジング（第１コネクタハウジング）
１０  フレーム部
１１  ガイドレール部（コネクタ嵌合用ガイド部）
１２  レバー仮係止部
１３  半嵌合検知部
２０  レバー
３０  雄コネクタ（第２コネクタ）
３１  雌コネクタハウジング（第２コネクタハウジング）
３４  押圧部（半嵌合用操作部、レバー仮係止解除部）
４０  取付パネル（取付部材）
４１  取付孔
Ｍ  コネクタ嵌合用間口
【図１】
0005781846.tif 000002
【図２】
0005781846.tif 000003
【図３】
0005781846.tif 000004
【図４】
0005781846.tif 000005
【図５】
0005781846.tif 000006
【図６】
0005781846.tif 000007
【図７】
0005781846.tif 000008
【図８】
0005781846.tif 000009
【図９】
0005781846.tif 000010
【図１０】
0005781846.tif 000011
【図１１】
0005781846.tif 000012
【図１２】
0005781846.tif 000013
【図１３】
0005781846.tif 000014
【図１４】
0005781846.tif 000015